(57)【要約】【課題】  回動角度及び加工部材の切断状況の視認性を高めた卓上切断機の提供。【解決手段】  木材Ｗを支持するベース３１と、回動軸部２４を有しベース２１上に回動軸部２４を中心として回動可能に担持されたターンテーブル２２と、ターンテーブル２２上に設けられターンテーブル２の上方で切断刃４を支持すると共に切断刃４をターンテーブル２２に対して近接離間可能に揺動させる揺動軸部３２を備えた切断部３と、ベース２１に対するターンテーブル２２の回動角度を表示する目盛部２２Ｄ、指標部２５と、指標部２５近傍に設けられて指標部２５を照らす光を照射する照射装置２６と、を備えた卓上切断機１を提供する。【選択図】図１
2008114454.tif 000002
【特許請求の範囲】
【請求項１】
加工部材を支持するベースと、
回動軸部を有し該ベース上に該回動軸部を中心として回動可能に担持されたターンテーブルと、
該ターンテーブル上に設けられ該ターンテーブルの上方で切断刃を支持すると共に該切断刃を該ターンテーブルに対して近接離間可能に揺動させる揺動軸部を備えた切断部と、
該ベースに対する該ターンテーブルの回動角度を表示する回動角度表示部と、
該回動角度表示部近傍に設けられて少なくとも該回動角度表示部を照らす光を照射する照射装置と、を備えることを特徴とする卓上切断機。
【請求項２】
該ターンテーブルは、該切断部を支持する切断部支持部と該回動軸部に関して該切断部支持部の反対側に設けられた台部とを有し、
該照射装置は該台部に設けられていることを特徴とする請求項１に記載の卓上切断機。
【請求項３】
該回動角度表示部は、該ベースに設けられた目盛部と該台部に設けられて該目盛部を指し示す指標部とから構成され、
該照射装置は少なくとも該指標部を照らす光を照射することを特徴とする請求項２に記載の卓上切断機。
【請求項４】
該照射装置は、照射部と照射支持部とを含んで構成され、
該照射部は、該回動軸部側に向けて光を照射可能な光源を備え、
該照射支持部は、該回動軸部から該照射部に向かう方向と直交すると共に該ターンテーブルの上面と平行な軸を介して該照射部を回動可能に支持していることを特徴とする請求項２または請求項３のいずれかに記載の卓上切断機。
【請求項５】
該照射支持部は、該回動軸部側に向けて開口する空間を有し、
該指標部は、該照射支持部と該回動軸部との間に配置され、
該照射部は、該照射支持部の該空間内に配置されて該指標部を照らす光を照射することを特徴とする請求項４に記載の卓上切断機。
【請求項６】
該照射装置は、レーザー光を照射可能であると共に該レーザー光が該切断刃の側面と該ターンテーブルの上面とが直交している状態で該切断刃の揺動軌跡上を照射可能に構成されていることを特徴とする請求項１乃至請求項５のいずれか一に記載の卓上切断機。
【請求項７】
該切断部と該ターンテーブルとの間には、該ターンテーブルの上面と同一平面上に該揺動軸部と略直交するように配置されて、該切断部を該ターンテーブルに対して傾動可能に接続する傾動軸部が設けられ、
該照射装置は、該傾動軸部の傾動軸に沿って該レーザー光を照射可能に構成されていることを特徴とする請求項６に記載の卓上切断機。
【請求項８】
加工部材を支持するベースと、
回動軸部を有し該ベース上に該回動軸部を中心として回動可能に担持されたターンテーブルと、
該ターンテーブル上に設けられ該ターンテーブルの上方で切断刃を支持すると共に該切断刃を該ターンテーブルに対して近接離間可能に揺動させる揺動軸部を備えた切断部と、
該切断部と該ターンテーブルとの間に設けられ、該ターンテーブルの上面と同一平面上に該揺動軸部と略直交するように配置されて、該切断部を該ターンテーブルに対して傾動可能に接続する傾動軸部と、
該ターンテーブルの反傾動軸部側に設けられ、該切断刃の揺動軌跡上にレーザー光を照射可能な照射装置を有することを特徴とする卓上切断機。
【請求項９】
該照射装置は、該傾動軸部の傾動軸上を該レーザー光で照射可能に構成されていることを特徴とする請求項８に記載の卓上切断機。
【請求項１０】
該ターンテーブルは、少なくとも該上面に開口部を有する空間部を有し、
該照明装置は、該レーザー光を照射する照射部を有し、
該照射部は、該空間部内に配置されて、該ターンテーブルの該上面から上方に非突出に構成されていることを特徴とする請求項８または請求項９のいずれかに記載の卓上切断機。
【発明の詳細な説明】
【技術分野】
【０００１】
本発明は卓上切断機に関し、特に照射装置を備えた卓上切断機に関する。
【背景技術】
【０００２】
従来、木材等の加工部材を任意の切断角度で切断するために、加工部材を載置するベースと、ベース上に回動可能に担持されるターンテーブルと、ターンテーブル上に設けられ切断刃を揺動可能に支持する切断部と、を備えた卓上切断機が公知となっている。この卓上切断機では、ベースに対してターンテーブルを回動させることにより切断刃の加工部材に対する角度を変化させ、任意の切断角度に設定している。
【０００３】
また従来の卓上切断機においては、特許文献１に示されるように、加工部材を照らす光を照射する照射装置が設けられており、暗所での切断作業において加工部材の視認性を高めている。
【特許文献１】特開２０００−３１７９０１号公報
【発明の開示】
【発明が解決しようとする課題】
【０００４】
一般に、ベース上で回動するターンテーブルを備える卓上切断機には、その回動角度を表示する表示部が設けられている。この表示部は、ベース上に加工部材が載置された状態でも容易に視認できるように、作業者側位置である卓上切断機前方に配置されている。
【０００５】
卓上切断機前方に表示部を配置する場合において、回動角度が０°の際にターンテーブルの前端部を避けるように、ベースの中心位置から０°位置をずらすと共に、指標部をずらした構成をとる卓上切断機がある。この卓上切断機の位置ずれは、熟練者でない作業者にとっては把握し難しいものであった。
【０００６】
また、照射装置を切断部に配置した場合には、加工部材への照射を優先させるため、卓上切断機の前方に配置された表示部まで充分な照射がされず、視認性が確保されていなかった。特に加工部材が肉厚の場合などは、照射装置に加工部材の影ができ視認性が劣る場合があった。したがって暗所の作業においては、手持ちのライト等により表示部を照らし、回動角度の調整をする必要があった。
【０００７】
また加工部材は、その上面及び側面に切断箇所の目安となる墨線が罫書かれる。しかし上述の卓上切断機では、ターンテーブル上に各部材を載置した場合に上面のみ照射されるため、側面部分の視認性が劣る場合があった。
【０００８】
よって本発明は、回動角度及び加工部材の切断状況の視認性を高めた卓上切断機を提供することを目的とする。
【課題を解決するための手段】
【０００９】
上記課題を解決するために本発明は、加工部材を支持するベースと、回動軸部を有し該ベース上に該回動軸部を中心として回動可能に担持されたターンテーブルと、該ターンテーブル上に設けられ該ターンテーブルの上方で切断刃を支持すると共に該切断刃を該ターンテーブルに対して近接離間可能に揺動させる揺動軸部を備えた切断部と、該ベースに対する該ターンテーブルの回動角度を表示する回動角度表示部と、該回動角度表示部近傍に設けられて少なくとも該回動角度表示部を照らす光を照射する照射装置と、を備えた卓上切断機を提供する。
【００１０】
このような構成によると、回動角度表示部に光を照射することができるため、暗所においても容易に回動角度表示部を視認することができる。
【００１１】
上記の卓上切断機において、該ターンテーブルは、該切断部を支持する切断部支持部と該回動軸部に関して該切断部支持部の反対側に設けられた台部とを有し、該照射装置は該台部に設けられていることが好ましい。
【００１２】
このような構成によると、卓上切断機において台部が作業者側に位置するため、この位置から回動角度表示部に向けて光を照射することにより、作業者の回動角度表示部に対する視認性を高めることができる。
【００１３】
また該回動角度表示部は、該ベースに設けられた目盛部と該台部に設けられて該目盛部を指し示す指標部とから構成され、該照射装置は少なくとも該指標部を照らす光を照射することが好ましい。
【００１４】
このような構成によると、回動角度表示部において、最も重要な位置に光を照射することができ、作業者に対する視認性をより高めることができる。
【００１５】
また該照射装置は、照射部と照射支持部とを含んで構成され、該照射部は、該回動軸部側に向けて光を照射可能な光源を備え、該照射支持部は、該回動軸部から該照射部に向かう方向と直交すると共に該ターンテーブルの上面と平行な軸を介して該照射部を回動可能に支持していることが好ましい。
【００１６】
このような構成によると、照射範囲を拡張することができる。よって回動角度表示部のみならず、ベース上に載置されてターンテーブル上に配置されている加工部材にも光を照射することができる。
【００１７】
また該照射支持部は、該回動軸部側に向けて開口する空間を有し、該指標部は、該照射支持部と該回動軸部との間に配置され、該照射部は、該照射支持部の該空間内に配置されて該指標部を照らす光を照射することが好ましい。
【００１８】
このような構成によると、照射部が照射支持部により覆われた構成を採ることができる。よって加工部材を照射装置上に落としたとしても、照射部が保護され、破損を防止することができる。
【００１９】
また該照射装置は、レーザー光を照射可能であると共に該レーザー光が該切断刃の側面と該ターンテーブルの上面とが直交している状態で該切断刃の揺動軌跡上を照射可能に構成されていてもよい。
【００２０】
このような構成によると、該切断刃の揺動軌跡上にレーザー光を照射しているため、この軌跡上に位置するターンテーブル上の加工部材にレーザー光による罫書き線を引くことができる。
【００２１】
また該切断部と該ターンテーブルとの間には、該ターンテーブルの上面と同一平面上に該揺動軸部と略直交するように配置されて、該切断部を該ターンテーブルに対して傾動可能に接続する傾動軸部が設けられ、該照射装置は、該傾動軸部の傾動軸に沿って該レーザー光を照射可能に構成されていることが好ましい。
【００２２】
このような構成によると、切断部が傾動した場合においても、切断刃の軌跡が傾動軸の延長線と交わることができる。またレーザー光は傾動軸に沿って照射されるため、傾動軸の延長線部分で切断刃の軌跡とレーザー光とが交わることになる。よってターンテーブル上に加工部材が配置された状態で、加工部材の傾動軸の延長線部分となる部分を視認でき、これを切断時の目安とすることができる。
【００２３】
また上記課題を解決するために本発明は、加工部材を支持するベースと、回動軸部を有し該ベース上に該回動軸部を中心として回動可能に担持されたターンテーブルと、該ターンテーブル上に設けられ該ターンテーブルの上方で切断刃を支持すると共に該切断刃を該ターンテーブルに対して近接離間可能に揺動させる揺動軸部を備えた切断部と、該切断部と該ターンテーブルとの間に設けられ、該ターンテーブルの上面と同一平面上に該揺動軸部と略直交するように配置されて、該切断部を該ターンテーブルに対して傾動可能に接続する傾動軸部と、該ターンテーブルの反傾動軸部側に設けられ、該切断刃の揺動軌跡上にレーザー光を照射可能な照射装置を有する卓上切断機を提供する。
【００２４】
このような構成によると、クラウンディングモール材等の複雑な形状を備える加工部材において、加工部材に罫書かれた罫書き線の作業者側、即ち前側の部分にレーザー光を照射することができる。よって、このような加工部材であっても容易に罫書き線とレーザー光とを一致させ、罫書き線に沿わせた精度の良い切断を容易に行うことができる。
【００２５】
また上記構成において、該照射装置は、該傾動軸部の傾動軸上を該レーザー光で照射可能に構成されていることがこのましい。
【００２６】
このような構成によると、傾斜切断の際であっても、切断最終箇所、即ち、傾動軸部付近にレーザー光が照射されることにより、加工部材に予め描かれた罫書き線とレーザー光を一致させ、罫書き線に沿わせた精度の良い切断を容易に行うことができる。
【００２７】
また該ターンテーブルは、少なくとも該上面に開口部を有する空間部を有し、該照明装置は、該レーザー光を照射する照射部を有し、該照射部は、該空間部内に配置されて、該ターンテーブルの該上面から上方に非突出に構成されていることが好ましい。
【００２８】
このような構成によると、加工部材や工具等が照明装置、より詳しくは照射部に衝突して、照明装置や照射部を破損することを抑制することができる。また、通常レーザー光を照射する照明装置はレーザー光を照射する照射部と切断刃側面との位置関係を調整する調整機構を備えているが、被切断材や他部材などが照明部に衝突して、照明部の位置が不意にずれてしまうことを抑制することができる。
【発明の効果】
【００２９】
本発明の卓上切断機によれば、ターンテーブルの回動角度及び加工部材の切断状況の視認性を高めることができる。
【発明を実施するための最良の形態】
【００３０】
本発明の実施の形態について、図１乃至図１０に基づき説明する。図１に示される卓上切断機である卓上丸鋸１は、回動機構を備えた卓上丸鋸であり、ベース部２と、切断部３とから主に構成されている。
【００３１】
ベース部２は、被切断部材である木材Ｗを担持するベース２１と、ベース２１上に回動可能に担持されたターンテーブル２２と、ベース２１に設けられたフェンス２３とから主に構成されている。ベース２１は、図２に示されるように、一対の左ベース２１Ａと右ベース２１Ｂとから構成されている。これら左ベース２１Ａと右ベース２１Ｂとが並んでいる方向を左右方向と定義し、ベース２１の木材Ｗ（図１）を載置する面の上方を上方、反対を下方と定義する。
【００３２】
また図２及び図３に示されるように、左ベース２１Ａと右ベース２１Ｂとの間には、略弧状に構成されて左ベース２１Ａと右ベース２１Ｂとを連結する円弧部２１Ｃが設けられている。この円弧部２１Ｃ上には、図３に示されるように中心位置を０°として、左右に角度が割り振られた目盛部２１Ｄが設けられている。
【００３３】
ターンテーブル２２は、図１に示されるように回動軸部２４を介してベース２１上に担持され、図２に示されるように右ベース２１Ｂと左ベース２１Ａとの間に配置されている。図１に示されるように、ターンテーブル２２は略円台状のターンテーブル本体部２２Ａと、ターンテーブル本体部２２Ａの一方側に突出して円弧部２１Ｃの上方に配置される台部２２Ｂと、ターンテーブル本体部２２Ａの他方側に設けられ切断部３を支持する切断部支持部２２Ｃとから構成されている。この台部２２Ｂがターンテーブルより突出している方向であって左右方向と直交する方向を前方、反対を後方と定義する。
【００３４】
また、ターンテーブル２２の上面には、図３に示されるように切断部支持部２２Ｃ（図１）近傍位置から台部２２Ｂにかけて一連の溝部２２ａが形成されている。この溝部２２ａは回動軸部２４上に配されており、後述の切断刃４が下方に揺動してターンテーブル２２と交わった際の交線位置と同一位置にあり切断刃４の刃先を収容する箇所となっている。
【００３５】
図３に示されるように、台部２２Ｂには、空間部２２ｂが形成されると共に、図１及び図３に示されるように、指標部２５と、照射装置２６と、規制操作部２７とが設けられている。空間部２２ｂは、台部２２Ｂにおいて、上面に開口部を有しており、この開口部から、空間２２ｂを通して台部２２Ｂの下方に位置する円弧部２１Ｃを視認可能となっている。
【００３６】
指標部２５は、アクリル板等の透明な部材から構成されており、図４に示されるように、空間部２２ｂ内において目盛部２１Ｄ上に配置されている。よって指標部２５を透過して目盛部２１Ｄ上の目盛を視認することができる。また指標部２５には、溝部２２ａの延長位置に沿って指示溝２５ａが形成されている。よってこの指示溝２５ａを目盛部２１Ｄの任意の目盛に合わせることにより、溝部２２ａを任意の目盛に合わせることができる。この指標部２５と目盛部２１Ｄとから回動角度表示部が構成されている。
【００３７】
照射装置２６は、図５に示されるように、照射部２６Ａと照射支持部２６Ｂとから主に構成されており、溝部２２ａの延長線上に配置されている。照射部２６Ａは、高照度のＬＥＤを光源としており、少なくとも、指標部２５を照射している状態で、照射部２６Ａが空間部２２ｂ内に位置するように配置されている。よって加工部材等が、台部２２Ｂ上に落下してきた場合であっても、照射部２６Ａに損害する損害を抑制することができる。指標部２５においても同様に空間部２２Ｂ内に配置されているため、加工部材等の落下から保護されている。また照射部２６Ａは、導線２６Ｃにより後述の電源ユニット３４Ａに接続されている。
【００３８】
照射支持部２６Ｂは、回動軸部２４側に向けて開口する空間２６ｂを有しており、この空間２６ｂ内に照射部２６Ａが挿入されている。よって照射部２６Ａは、照射支持部２６Ｂにより保護される形態となり、工具等が照射装置２６上に落下した場合でも、破損し難くなっている。また照射支持部２６Ｂは、溝部２２ａの方向と直交すると共にターンテーブル２２の上面と平行な軸２６Ｄを有しており、この軸２６Ｄを介して台部２２Ｂに回動可能に接続されている。よって照射支持部２６Ｂを回動させることにより、図５に示されるように照射部２６Ａによる照射位置を変化させることができ、より広い範囲を照射することができる。
【００３９】
規制操作部２７は、固定ハンドル２７Ａとロックレバー２７Ｂとから構成されている。固定ハンドル２７Ａは、ターンテーブル２２を回動する際の把握箇所となると共にターンテーブル２２を所定の回動角度に固定することができる。ロックレバー２７Ｂは、主として固定ハンドル２７Ａの下方側かつ円弧部２１Ｃの下方側の位置に設けられ、ベース２１に対してターンテーブル２２を定められた任意の角度で固定することができる。
【００４０】
図１に示されるように、フェンス２３は、ベース２１上であってターンテーブル２２の上方位置に設けられており、図２に示されるように、左ベース２１Ａ及び右ベース２１Ｂに対応して左フェンス２３Ａ及び右フェンス２３Ｂから構成されている。左フェンス２３Ａ及び右フェンス２３Ｂの前面は同一平面上に位置するように配置されており、図３に示されるように、ターンテーブルが０°の回動角度の位置に配置された状態で、溝部２２ａと左フェンス２３Ａ及び右フェンス２３Ｂの前面とが略直交するように構成されて木材Ｗの位置を規定している。
【００４１】
切断部支持部２２Ｃには、切断部支持部２２Ｃと切断部３とを接続する傾動軸部２９が設けられている。傾動軸部２９は、その軸がターンテーブル２２の上面に含まれ、かつ溝部２２ａと一致するように配置されている。
【００４２】
図１に示されるように切断部３は、傾動部３１と、揺動軸部３２と、切断本体部３３とから主に構成されている。傾動部３１は、傾動軸部２９を介して傾動可能に切断部支持部２２Ｃに接続されている。傾動部３１には、切断部支持部２２Ｃと螺合しているランプレバー３１Ａが設けられており、クランプレバー３１Ａを螺進させることにより、傾動部３１と切断部支持部２２Ｃとを固定して、切断部３を任意の傾動角度に設定している。揺動軸部３２は、傾動部３１に支持されて、その軸が略左右方向になるように配置されている。
【００４３】
切断本体部３３は、フレーム３３Ａと、ハウジング３３Ｂと、カバー３３Ｃと、ハンドル３３Ｄと、切断刃４とを主に備えて構成されている。フレーム３３Ａは、揺動軸部３２に接続されて、傾動部３１に対して揺動可能に構成されている。ハウジング３３Ｂは、フレーム３３Ａに接続されて、切断本体部３３の外殻を形成し、内部に図示せぬモータやギアを内蔵している。またハウジング３３Ｂ内には、照射部２６Ａと接続される電源ユニット３４Ａが設けられている。
【００４４】
カバー３３Ｃは、切断部３が上方に位置するときは切断刃４を覆い隠し、切断部３が下方（ターンテーブル２２側）に揺動された時には切断刃４を露出させるように構成されている。
【００４５】
ハンドル３３Ｄはハウジング３３Ｂの上方に設けられており、切断部３を揺動させるときの把持部となっている。ハンドル３３Ｄには図示せぬモータを駆動制御するトリガ３３Ｅと、電源ユニット３４Ａに接続されて照射部２６ＡのＯＮ／ＯＦＦを制御する照射スイッチ３４Ｂが設けられている。
【００４６】
切断刃４は図示せぬモータにより回転駆動され、切断部３が下方に揺動された場合に、その一部が溝部２２ａ内に挿入されるように配置されている。
【００４７】
上記構成の卓上丸鋸１を暗所において使用する場合には、先ず固定ハンドル２７Ａを緩め、ターンテーブル２２が回動可能な状態で、照射スイッチ３４Ｂを押し、照射部２６Ａを点灯する。この状態で照射支持部２６Ｂを下方に回動させ、図６及び図７に示されるように、指標部２５に光を照射した状態で所定の角度に回動させる。
【００４８】
卓上丸鋸１では、目盛部２１Ｄの０°位置が、ベースの中心位置に設けられ、指標部２５はターンテーブルの前端に設けられた空間部２２ｂ内に設けた構成とすることにより、感覚的に回動位置を認識し易く、熟練の作業者でなくとも、好適に回動位置を把握することができる。よって目盛部の０°位置が、ベースの中心位置からずれた位置に配置されていた従来の卓上丸鋸と比べて、位置ずれによる誤認等を抑制することができる。
【００４９】
また指標部２５は、空間部２２ｂ内に位置しているため、空間部２２ｂを構成する台部２２Ｂの壁により指標部２５及び目盛部２１Ｄ上に影ができ、回動角度が把握し難い場合がある。しかし照射部２６Ａで指標部２５に光を照射していることにより、暗所においても指標部２５及び目盛部２１Ｄを容易に読み取ることができ、回動角度の調整を容易に行うことができる。また卓上丸鋸１において台部２２Ｂが作業者側である前方に位置するため、この位置から指標部２５に向けて光を照射することにより、作業者の回動角度表示部に対する視認性を高めることができる。
【００５０】
照射部２６Ａで回動角度が設定された後に、クランプレバー３１Ａを緩め、切断部３を傾動させて任意の傾動角度にした後に、クランプレバー３１Ａを締め、任意の傾動角度に設定する。その後に、木材Ｗをベース２１上に載置し、図５に示されるように照射支持部２６Ｂを上方に回動させ、木材Ｗの前側側面近傍に光を照射する。これにより、木材Ｗの前側側面に予め切断置決め用の墨線が引かれている場合であっても、これを容易に視認することができ、切断作業を好適に行うことが可能となる。
【００５１】
本発明による卓上切断機は、上述した実施の形態に限定されず、特許請求の範囲に記載した範囲内で、種々の変形や改良が可能である。例えば図８に示されるように、照射部１２６Ａからレーザー光を照射する構成を採ってもよい。この照射部１２６Ａは、台部２２Ｂの一部から構成される照射支持部２６Ｂに保持され、レーザー光を照射する部分が、空間部２２ｂ内に配置されている。よって木材Ｗ等が照射部１２６Ａに衝突して、照射部１２６Ａを破損することを抑制することができる。
【００５２】
照射部１２６Ａから照射されたレーザー光は、図９に示されるように、切断刃４の側面がターンテーブル２２の上面と略直交するように、切断部３が配置された状態で、少なくとも傾動軸部２９の軸上に形成されている溝２２ａを照射して切断刃４を揺動させた時の軌跡Ｔに沿った照射領域Ｓを形成するように構成されている。この状態においては、木材Ｗの切断位置、即ち側面の罫書き線に沿ってレーザー光が照射されるため、罫書き線を容易に認識でき、切断時の正確性を増すことができる。
【００５３】
また図１０に示されるように、切断部３を傾動させた場合であっても、切断刃３の軌跡Ｔは、溝２２ａと交差する。またレーザー光の照射領域Ｓは、溝２２ａ内にも位置している。上述のようにレーザー光は傾動軸部２９の軸に沿って照射されるため、傾動軸部２９の延長線部分となる溝２２ａで切断刃４の軌跡とレーザー光とが交わることになる。よってターンテーブル２２上に木材Ｗが配置された状態で、木材Ｗの傾動軸部２９の延長線部分となる部分、即ち木材Ｗの側面における切り終わり部分を視認でき、これを切断時の目安とすることができる。
【００５４】
また照射部１２６Ａと照射支持部１２６Ｂとの間には、照射部１２６Ａを切断刃４の回転軸方向に移動可能であると共に、切断刃４がベース部２の上面と直交した状態で、切断刃４と照射部１２６Ａから照射されるレーザー光との平行度を調整可能な微調整機構を設けてもよい。
【００５５】
この場合においても、照射部１２６Ａが空間部２２ｂ内に配置されて照射部１２６Ａに木材Ｗ等が当接することが抑制されているため、微調整機構での微調整が狂い難く、微調整された状態を長期間にわたって保つことが可能になる。
【図面の簡単な説明】
【００５６】
【図１】本発明の実施の形態に係る卓上切断機の側面図。
【図２】本発明の実施の形態に係る卓上切断機の正面図。
【図３】本発明の実施の形態に係る卓上切断機の部分平面図。
【図４】図３の丸枠IV内の部分詳細図。
【図５】図１の丸枠V内の部分詳細図。
【図６】本発明の実施の形態に係る卓上切断機の回動操作を行った場合の部分平面図。
【図７】図６の丸枠VII内の部分詳細図。
【図８】本発明の実施の形態に係る卓上切断機の変形例に係る側面図。
【図９】本発明の実施の形態に係る卓上切断機の変形例に係る正面図。
【図１０】本発明の実施の形態に係る卓上切断機の変形例に係る傾動状態の正面図。
【符号の説明】
【００５７】
１・・卓上丸鋸  ２・・ベース部  ３・・切断部  ４・・切断刃  ２１・・ベース
２１Ａ・・左ベース  ２１Ｂ・・右ベース  ２１Ｃ・・円弧部  ２１Ｄ・・目盛部
２２・・ターンテーブル  ２２Ａ・・ターンテーブル本体部  ２２Ｂ・・台部
２２Ｃ・・切断部支持部  ２２ａ・・溝部  ２３・・フェンス  ２３Ａ・・左フェンス
２３Ｂ・・右フェンス  ２４・・回動軸部  ２５・・指標部  ２５ａ・・指示溝
２６・・照射装置  ２６Ａ・・照射部  ２６Ｂ・・照射支持部  ２６Ｃ・・導線
２６Ｄ・・軸  ２６ｂ・・空間  ２７・・規制操作部  ２７Ａ・・固定ハンドル
２７Ｂ・・ロックレバー  ２９・・傾動軸部  ３１・・傾動部
３１Ａ・・クランプレバー  ３２・・揺動軸部  ３３・・切断本体部
３３Ａ・・フレーム  ３３Ｂ・・ハウジング  ３３Ｃ・・カバー  ３３Ｄ・・ハンドル
３３Ｅ・・トリガ  ３４Ｂ・・照射スイッチ  ３４Ａ・・電源ユニット
【図１】
2008114454.tif 000003
【図２】
2008114454.tif 000004
【図３】
2008114454.tif 000005
【図４】
2008114454.tif 000006
【図５】
2008114454.tif 000007
【図６】
2008114454.tif 000008
【図７】
2008114454.tif 000009
【図８】
2008114454.tif 000010
【図９】
2008114454.tif 000011
【図１０】
2008114454.tif 000012